(57)【特許請求の範囲】
【請求項１】
瓦本体と、該瓦本体から略垂直に垂れ下がる垂れ部とから構成され、軒の方向と垂直な前後方向最前部に、該軒に沿って並設される軒瓦であり、一端に他の軒瓦の下に係合する第一の係合部を備えるとともに、他端に更に他の軒瓦の上に係合する第二の係合部を備えた軒瓦において、
平面の正面を有する前記垂れ部が、前記軒に沿って敷設した際に前記他端から一端へいくに従って該軒側から前記前後方向に後退することによって、該垂れ部の中の前記第一の係合部側が該軒に対して斜め方向の勾配を有し、該第一の係合部の上面の該前後方向の幅が前記他端から一端へいくに従って狭くなり、該垂れ部の中の前記第二の係合部側が該軒に対して斜め方向の勾配を有し、該第二の係合部の上面の該前後方向の幅が前記一端から他端へいくに従って広くなり、前記他の軒瓦及び前記更に他の軒瓦に対して該前後方向に摺動させることにより、該前後方向において位置の調整を行うことができ、
前記垂れ部の正面が連続した面であることを特徴とする軒瓦。
【請求項２】
前記他の軒瓦に対して離隔又は接近可能な摺動面を前記第一の係合部に備え、前記更に他の軒瓦に対して離隔又は接近可能な摺動面を前記第二の係合部に備えた請求項１に記載する軒瓦。
【発明の詳細な説明】
【０００１】
【産業上の利用分野】
本発明は家屋等の軒に沿って並設する軒瓦及びその瓦葺き方法に関する。
【０００２】
【従来の技術】
従来から、風雨から家屋を守るために、又は化粧材として、家屋等の屋根には、瓦が葺かれている。この瓦は、屋根の全体に渡っては桟瓦等が葺かれる一方で、軒部には軒瓦が葺かれる。この軒瓦は、他の桟瓦等を葺くための土台となる重要なものである。また、瓦と屋根との間に水が入り込まないようにすると同時に、外観を良くするためのものである。
【０００３】
このような軒瓦の一例として、一文字瓦と呼ばれる軒瓦１を図８に示す。この軒瓦１は、複数枚をその端部付近同志互いに重ね合わせて係合するとともに、嵌合端部２を嵌合凹部３に嵌合して、互いに連接させ、屋根の軒４に設置できるように構成されている。このような軒瓦１は、前端部が面一になるように連接できるため、外観上好ましい。
【０００４】
また、軒瓦の他の一例として、万十瓦と呼ばれる軒瓦５を図９に示す。この軒瓦５は、複数枚をその端部付近同志互いに重ね合わせて係合するとともに、他の第二の係合部９に係合した第一の係合部６を巴部７で隠すようにして、互いに連接させ、屋根の軒４に設置できるように構成されている。このような軒瓦５は、重ね合わせた端部６を巴部７で隠すことができるため、外観上好ましい。
【０００５】
【発明が解決しようとする課題】
しかし、複数毎の軒瓦１を連接させた時の、全部の軒瓦１によるきき幅の長さを軒４の長さに対応させるための長さ調整は、先ず作業場において連接してきき幅の長さを確認した後、嵌合端部２を削り取ることにより行われていた。このため、きき幅の長さ調整にかかる時間と労力は大変に大きなものであった。また、作業場において嵌合端部２を削り取るため、作業場に埃が蔓延して環境上好ましくなかった。
【０００６】
一方、軒瓦５は、巴部７が前方へ突き出しているため外観上好ましくなかった。また、巴部７が前方へ突き出しているため、正面８に連続した模様を表すことができなかった。
【０００７】
【課題を解決するための手段】
本発明に係る軒瓦の要旨とするところは、瓦本体と、該瓦本体から略垂直に垂れ下がる垂れ部とから構成され、軒に沿って並設される軒瓦であり、一端に他の軒瓦に係合する第一の係合部を備え、他端に更に他の軒瓦を係合する第二の係合部とを備えた軒瓦において、前記他の軒瓦に対して離隔又は接近可能な摺動面を前記第一の係合部に備え、前記更に他の軒瓦に対して離隔又は接近可能な摺動面を前記第二の係合部に備えたことにある。
【０００８】
また、本発明に係る軒瓦において、前記第一の係合部が前記他端から一端へいくに従って狭くなる勾配を有し、かつ／又は、前記第二の係合部が前記一端から他端へいくに従って広くなる勾配を有したことにある。
【０００９】
また、本発明に係る軒瓦において、前記垂れ部の正面が連続した面であることにある。
【００１０】
また、本発明に係る軒瓦の瓦葺き方法の要旨とするところは、瓦本体と、該瓦本体から略垂直に垂れ下がる垂れ部とから構成された軒瓦を軒に沿って並設していく軒瓦の瓦葺き方法であり、一端の第一の係合部を他の軒瓦に係合し、他端の第二の係合部に更に他の軒瓦を係合しつつ並設していく軒瓦の瓦葺き方法において、前記第一の係合部において前記他の軒瓦に対して摺動させて離隔又は接近させ、前記第二の係合部において前記更に他の軒瓦に対して摺動させて離隔又は接近させつつ、軒に沿って並設していくことにある。
【００１１】
【作用】
本発明に係る軒瓦は、まず、軒に沿って並設して軒を略覆うことができる程度の枚数用意される。次に、一端の第一の係合部を他の軒瓦の第二の係合部に係合し、他端の第二の係合部に更に他の軒瓦の第一の係合部が係合されつつ、軒に沿って並べられる。この時、第一の係合部の摺動面が、他の軒瓦の第二の係合部の摺動面に摺動可能に当接するとともに、第二の係合部の摺動面に、更に他の軒瓦の第二の係合部の摺動面が摺動可能に当接することとなる。
【００１２】
このような状態で、複数枚の軒瓦が軒に沿って並べられた時、ほとんどの場合において、並べた複数枚の軒瓦全部によるきき幅の長さは、軒長さに対応する所望の長さとならない。そこで、第一の係合部の摺動面を、他の軒瓦の第二の係合部の摺動面に対して摺動させて離隔又は接近させ、第二の係合部の摺動面に対して、更に他の軒瓦の第二の係合部の摺動面を摺動させて離隔又は接近させつつ、きき幅の長さが調整される。長さ調整が終了すると、軒瓦に設けた孔に釘が打ち込まれ、軒に固定される。本発明の軒瓦は、このようにして、きき幅の長さが調整されつつ、軒に沿って並設される。なお、並べた複数枚の軒瓦全部によるきき幅の両端には、袖瓦が設置される。
【００１３】
また、第一の係合部が他端から一端へいくに従って狭くなる勾配を有し、かつ／又は、第二の係合部が一端から他端へいくに従って広くなる勾配を有したことを特徴とする本発明の軒瓦は、軒の方向に摺動させることができるだけでなく、軒の方向と垂直な前後方向にも摺動させることができることとなる。軒の方向と垂直な前後方向にも摺動させることができるため、軒の方向と垂直な前後方向で、軒瓦の位置調節ができることとなる。
【００１４】
また、垂れ部の正面が連続した面であることを特徴とする本発明の軒瓦は、垂れの正面全体に渡って一の模様を描くことが可能となる。また、従来の万十瓦のように、巴部分が前方へ突き出すことがない。
【００１５】
次に、本発明に係る軒瓦の瓦葺き方法は、一端の第一の係合部において他の軒瓦に対して摺動させて離隔又は接近させ、他端の第二の係合部において更に他の軒瓦に対して摺動させて離隔又は接近させて、軒に沿ったきき幅全体の長さが調整されつつ、軒に沿って並設していく方法である。
【００１６】
【実施例】
次に、本発明に係る軒瓦及びその瓦葺き方法について、図面に基づいて詳しく説明する。
【００１７】
図１及び図２において、符号１０は本発明に係る軒瓦である。この軒瓦１０は、万十瓦に似た形の軒瓦であり、瓦本体１１と、この瓦本体１１端部から略垂直方向に垂れる垂れ部２５とから構成されている。この軒瓦１０は、一端に、他の軒瓦１０ｂに係合する第一の係合部１２を備えるとともに、他端に、更に他の軒瓦１０ｃを係合する第二の係合部１４を備え、複数枚を互いに係合させつつ軒に沿って並設する軒瓦である。ここで、係合部１２及び１４は、瓦本体１１及び垂れ部２５の両方から構成される概念である。なお、軒瓦１０の材質は、粘土の他、セラミック等であっても良く、特に限定されることはない。
【００１８】
第一の係合部１２は、軒瓦１０ｂに対して離隔又は接近可能な摺動面１６を備えており、第一の係合部１２が他端から一端へいくに従って狭くなるように、勾配を有している。第二の係合部１４は、軒瓦１０ｃに対して離隔又は接近可能な摺動面１８を裏側に備えており、第二の係合部１４が一端から他端へいくに従って広くなるように、勾配を有している。また、垂れ２５の正面２６が平坦で連続した面となるように構成されている。
【００１９】
このような軒瓦１０は、まず、軒２０に沿って並設して軒２０を略覆うことができる程度の枚数を用意される。次に、これら複数の軒瓦１０の中、軒瓦１０ａについて説明するならば、図２に示すように、第一の係合部１２ａを他の軒瓦１０ｂの第二の係合部１４ｂに係合し、第二の係合部１４ａに更に他の軒瓦１０ｃの第一の係合部１２ｃが係合されつつ、軒２０に沿って並べられる。この時、図２（ｃ）に示すように、係合部１２ａの摺動面１６ａが係合部１４ｂに摺動可能に当接するとともに、係合部１４ｂの摺動面１８ｂが係合部１２ａに摺動可能に当接することとなる。
【００２０】
このような状態で、複数枚の軒瓦１０が軒２０に沿って並べられた時、ほとんどの場合において、並べた複数枚の軒瓦１０全部によるきき幅の長さは、軒２０の長さに対応する所望の長さとならない。そこで、摺動面１６ａを係合部１４ｂに対して摺動させ、摺動面１８ｂを係合部１２ａに対して摺動させつつ、きき幅の長さが調整される。きき幅の長さ調整が終了すると、孔２２に釘２４が打ち込まれ、軒２０に固定される。本発明の軒瓦１０は、このようにして、きき幅の長さが調整されつつ、軒２０に沿って並設される。
【００２１】
このような軒瓦１０及びその瓦葺き方法によれば、積極的に摺動面１６及び１８が備えられており、複数枚の軒瓦１０同志を摺動させ、並べた複数枚の軒瓦１０全部のきき幅の長さを調整しつつ、軒２０に沿って並設していくことができる。このため、容易にきき幅の長さ調整を行うことができる。
【００２２】
また、この軒瓦１０によれば、第一の係合部１２が他端から一端へいくに従って狭くなっている。すなわち、勾配１００を有している。また、第二の係合部１４が一端から他端へいくに従って狭くなっている。すなわち、勾配１０２を有している。このため、他の軒瓦及び更に他の軒瓦に対して摺動させることができるだけでなく、軒の方向と垂直な前後方向に対しても摺動させることができる。このため、軒の方向と垂直な前後方向においても、軒瓦１０の位置の調節を行うことができる。
【００２３】
また、この軒瓦１０によれば、垂れ部２５の正面２６が連続した面となっている。このため、複数枚を並設した時に、ある程度の距離を隔てて見ると、複数枚の軒瓦１０の正面２６が面一になっているかの如く見え、外観上も好ましい。さらに、正面２６全体に連続した一の模様を描くことが可能となり、デザイン上も好ましい。
【００２４】
以上、本発明の一実施例について説明したが、本発明に係る軒瓦及びその瓦葺き方法はその他の態様でも実施し得るものである。
【００２５】
例えば、図３及び図４に示すような軒瓦３０であっても良い。この軒瓦３０は、一文字瓦に似た形の軒瓦であり、一端に、他の軒瓦３０ｂに係合する第一の係合部３２を備えるとともに、他端に、更に他の軒瓦３０ｃを係合する第二の係合部３４とを備えた軒瓦である。
【００２６】
このような軒瓦３０は、軒２０に沿って並設して軒２０を略覆うことができる程度の枚数を用意される。次に、これらの軒瓦３０の中、軒瓦３０ａについて説明するならば、図４に示すように、第一の係合部３２ａを他の軒瓦３０ｂの第二の係合部３４ｂに係合し、第二の係合部３４ａに更に他の軒瓦３０ｃの第一の係合部３２ｃが係合されつつ、軒２０の上に並べられる。この時、図４（ｃ）に示すように、係合部３２ａの摺動面３６ａが係合部３４ｂに摺動可能に当接するとともに、係合部３４ｂの摺動面３８ｂが係合部３２ａに摺動可能に当接することとなる。
【００２７】
このような状態で、複数枚の軒瓦３０が軒２０に沿って並べられた時、ほとんどの場合において、並べた複数枚の軒瓦３０が構成するきき幅全体の長さは、所望の長さとならない。そこで、摺動面３６ａを係合部３４ｂに対して摺動させ、摺動面３８ｂを係合部３２ａに対して摺動させつつ、きき幅の長さが調整される。きき幅の長さ調整が終了すると、孔２２に釘２４が打ち込まれ、軒２０に固定される。本発明の軒瓦３０は、このようにして、きき幅の長さが調整されつつ、軒２０に沿って並設される。
【００２８】
このような軒瓦３０及びその瓦葺き方法によれば、並べた複数枚の軒瓦３０が構成するきき幅全体の長さを調整しつつ、軒２０に沿って並設していくことができる。このため、従来の一文字瓦のように、作業場において、嵌合端部を削り取ったりすることなく、容易に長さ調整を行うことができる。また、この軒瓦３０によれば、他端から一端へいくに従って徐々に狭くなる勾配を備えて構成されている。このため、複数枚を並設した時に、ある程度の距離を隔てて見ると、従来の一文字瓦と同様に、複数枚の軒瓦３０の前方面４６が面一になっているかの如く見えるため、外観上好ましい。また、従来の一文字瓦と同様に、垂れ部４５の下端が連続することとなるため、従来の一文字瓦として使用しても、何ら支障がない。
【００２９】
また、本発明に係る軒瓦において、図５に示すように、一端に有している第一の係合部５０の平面５２に目盛り５４を設け、正面５６に目盛り５８を設けても良い。このような目盛り５４及び５８を設けることにより、一の軒瓦と他の軒瓦との距離を確認しつつ、軒に沿って並設していくことができる。このため、一の軒瓦と他の軒瓦との距離が、全体に渡って均等になるようにすることができる。なお、目盛り５４おらび５８は、外観上の支障のない程度に薄く表すことが好ましい。
【００３０】
また、本発明に係る軒瓦は、図６に示すような軒瓦６０であっても良い。この軒瓦６０は、万十瓦に似た形状に構成され、巴部６２が前方へ突き出さないようにされ、その正面が略平坦で連続した面になるように構成された軒瓦である。この軒瓦６０の第一の係合部６４は端部へいくに従って狭くなるように構成される一方で、第二の係合部６６は真直になるように構成されている。また、このような軒瓦６０によっても、巴部６２が前方へ突き出さず、垂れ６８の正面７０が連続した構成となる。
【００３１】
また、本発明に係る軒瓦は、図１に示す軒瓦１０において、図７に示すような模様７２を示したものであっても良い。この模様７２は溝が正面２６の全体に渡って掘られて構成されている。このような模様７２を設けることにより、外観をより向上させることができる。なお、この模様７２を凸部によって構成しても別に構わない。
【００３２】
以上、本発明に係る軒瓦及びその瓦葺き方法の実施例について、図面に基づいて種々説明したが、図示したものに限定されることはない。例えば、本発明の軒瓦を使用する建築物は家屋に限定されることはなく、寺院等であっても良い。また、洋風瓦において、本発明の軒瓦のような構成にしても良い。また、軒瓦を構成する瓦本体及び垂れ部の形状は特に限定されることはない。その他、本発明はその趣旨を逸脱しない範囲で当業者の知識に基づき種々なる改良、修正、変形を加えた態様で実施できるものである。
【００３３】
【発明の効果】
本発明に係る軒瓦によれば、一端の第一の係合部及び他端の第二の係合部に、積極的に摺動面が備えられており、複数枚の軒瓦同志を摺動させ、並べた複数枚の軒瓦が構成するきき幅全体の長さを調整しつつ、軒に沿って並設していくことができる。このため、並設する軒瓦全てのきき幅の長さを容易に調整することができる。
【００３４】
また、第一の係合部が他端から一端へいくに従って狭くなる勾配を有し、かつ／又は、第二の係合部が一端から他端へいくに従って広くなる勾配を有したことを特徴とする本発明の軒瓦によれば、軒の方向に摺動させることができるだけでなく、軒の方向と垂直な前後方向にも摺動させることができる。このため、軒の方向と垂直な前後方向においても、軒瓦の位置を調節することができる。従って、従来では全くできなかった前後方向における軒瓦の位置調節が可能となり、正確かつ容易な瓦葺きが可能となる。
【００３５】
また、垂れ部の正面が連続した面であることを特徴とする本発明の軒瓦によれば、複数枚を並設した時に、ある程度の距離を隔てて見ると、複数枚の軒瓦の正面が面一になっているかの如く見え、外観上も好ましい。さらに、正面全体に連続した一の模様を描くことが可能となり、デザイン上も好ましい。
【００３６】
次に、本発明に係る軒瓦の瓦葺き方法によれば、第一の係合部において他の軒瓦に対して摺動させて離隔又は接近させ、第二の係合部において更に他の軒瓦に対して摺動させて離隔又は接近させて、軒に沿ったきき幅の長さを調整しつつ、軒に沿って並設していくことができる。
【図面の簡単な説明】
【図１】本発明に係る軒瓦の実施例を示す図であり、同図（ａ）は平面図、同図（ｂ）は正面図、同図（ｃ）は底面図、同図（ｄ）は左側面図、同図（ｅ）は右側面図、同図（ｆ）は背面図である。
【図２】図１に示す軒瓦による瓦葺き方法を示す図であり、同図（ａ）は平面図、同図（ｂ）は正面図、同図（ｃ）は要部拡大正面断面端面図である。
【図３】本発明に係る軒瓦の他の実施例を示す図であり、同図（ａ）は平面図、同図（ｂ）は正面図、同図（ｃ）は底面図、同図（ｄ）は左側面図、同図（ｅ）は右側面図、同図（ｆ）は背面図である。
【図４】図３に示す軒瓦による瓦葺き方法を示す図であり、同図（ａ）は平面図、同図（ｂ）は正面図、同図（ｃ）は要部拡大正面断面端面図である。
【図５】本発明に係る軒瓦の更に他の実施例を示す図であり、同図（ａ）は要部平面図、同図（ｂ）は要部正面図である。
【図６】本発明に係る軒瓦の更に他の実施例を示す図であり、同図（ａ）は平面図、同図（ｂ）は正面図である。
【図７】本発明に係る軒瓦の更に他の実施例を示す図であり、同図（ａ）は平面図、同図（ｂ）は正面図である。
【図８】従来の軒瓦の使用状態を示す図であり、同図（ａ）は平面図、同図（ｂ）は正面図である。
【図９】従来の軒瓦の使用状態を示す図であり、同図（ａ）は平面図、同図（ｂ）は正面図である。
【符号の説明】
１０，３０，６０；軒瓦
１１；瓦本体
１２，３２，５０，６４；第一の係合部
１４，３４，６６；第二の係合部
１６，３６；摺動面
１８，３８；摺動面
２０；軒
２５，４５；垂れ部
２６，４６；垂れ部の正面
【図１】
0003619968.tif 000002
【図２】
0003619968.tif 000003
【図３】
0003619968.tif 000004
【図４】
0003619968.tif 000005
【図５】
0003619968.tif 000006
【図６】
0003619968.tif 000007
【図７】
0003619968.tif 000008
【図８】
0003619968.tif 000009
【図９】
0003619968.tif 000010